(57)【要約】      （修正有）【課題】試料容器内の試料と磁性粒子とを効率良くしかも簡易に攪拌することが容易な試料攪拌装置を提供する。【解決手段】外形が角柱形状で内部に試料と磁性粒子が注入される試料注入部を有する試料容器４、試料容器４の下方部４ａが嵌入されるテーブル開口部を含み、試料容器４を回動可能に載置するテーブル１、試料容器４の下方部４ａが嵌入され下方部４ａの外側と内壁部が接触する凹部を有し回転する撹拌子２、撹拌子２を回転させる回転モーターを備え、試料容器４の下方部４ａの回転軸は撹拌子の回転軸２ａと偏芯しており、試料容器４の上方に設けた押さえバネ板３を有し、押さえバネ板３は回転モーターの回転力で撹拌子２を介して、試料容器４が偏心回転した時に試料容器４がテーブル１より上方に突出した部分を抑えるように配置されていることを特徴とする試料攪拌装置。【選択図】図１
2020038106.tif 000002
【特許請求の範囲】
【請求項１】
外形が角柱形状で内部に試料と磁性粒子が注入される試料注入部を有する試料容器、前記試料容器の下方部が嵌入されるテーブル開口部を含み、該試料容器を回動可能に載置するテーブル、前記試料容器の下方部が嵌入され該下方部の外側と内壁部が接触する凹部を有し回転する撹拌子、前記撹拌子を回転させる回転モーター、前記試料容器の下方部の回転軸は前記撹拌子の回転軸と偏芯しており、前記試料容器の上方に設けた押さえバネ板を有し、該押さえバネ板は前記回転モーターの回転力で前記撹拌子を介して、前記試料容器が偏心回転した時に前記試料容器が前記テーブルより上方に突出した部分を抑えるように配置されていることを特徴とする試料攪拌装置。
【発明の詳細な説明】
【技術分野】
【０００１】
本発明は試料容器内の試料と磁性粒子を効率よく攪拌する際に好適な試料攪拌装置に関する。
【背景技術】
【０００２】
免疫分析装置では試料に含まれる成分を効率良く検出するために試料容器に試料と磁性粒子を注入し、試料容器中の試料と磁性粒子を攪拌させている。攪拌方法としては試料容器内に攪拌棒を挿入し、試料を直接もしくは容器を水の中に浸して超音波で攪拌もしくは試料容器の底面を攪拌子で振動させたりしている。
【０００３】
従来、試料容器を偏心させて偏心回動させて試料内の試料を攪拌する試料攪拌装置がいろいろと提案されている（特許文献１）。特許文献１では偏心接続したカムを利用し、試験管を偏心回転させて試験管内の試薬を効率的に攪拌した試料調整装置の攪拌機構を開示している。
【先行技術文献】
【特許文献】
【０００４】
【特許文献１】特開平０７−２６０７９４号公報
【発明の概要】
【発明が解決しようとする課題】
【０００５】
試料容器を回転させて試料容器内の試料と磁性粒子を効率的に攪拌するためには試料容器の形状や回転条件などを適切に構成する必要がある。例えば試料容器を偏心回動させる方法では試料容器の外形状とそれを偏心回転させる攪拌子との連結機構などを適切に設定することが重要になってくる。この時の機構が適切でないと試料容器が振動したり、振動によって発生する泡が増大して、効率的に攪拌するのが困難になってくる。
【０００６】
本発明は試料容器内の試料と磁性粒子とを効率良くしかも簡易に攪拌することが容易な試料攪拌装置の提供を目的とする。
【課題を解決するための手段】
【０００７】
本発明の試料攪拌装置は、外形が角柱形状で内部に試料と磁性粒子が注入される試料注入部を有する試料容器、前記試料容器の下方部が嵌入されるテーブル開口部を含み、該試料容器を回動可能に載置するテーブル、前記試料容器の下方部が嵌入され該下方部の外側と内壁部が接触する凹部を有し回転する撹拌子、前記撹拌子を回転させる回転モーター、前記試料容器の下方部の回転軸は前記撹拌子の回転軸と偏芯しており、前記試料容器の上方に設けた押さえバネ板を有し、該押さえバネ板は前記回転モーターの回転力で前記撹拌子を介して、前記試料容器が偏心回転した時に前記試料容器が前記テーブルより上方に突出した部分を抑えるように配置されていることを特徴としている。
【発明の効果】
【０００８】
本発明によれば試料容器内の試料と磁性粒子とを効率よくしかも簡易に攪拌することが容易な試料攪拌装置が得られる。
【図面の簡単な説明】
【０００９】
【図１】本発明の実施例の一部分の斜視図
【図２】本発明の実施例の一部分の要部斜視図
【図３】（Ａ），（Ｂ），（Ｃ）  本発明の実施例の動作説明図
【図４】本発明の実施例の要部概略図
【図５】本発明の実施例の一部分の説明図
【図６】（Ａ），（Ｂ），（Ｃ）  図１の一部分の説明図
【発明を実施するための形態】
【００１０】
以下、本発明の試料攪拌装置の実施例を説明する。
【００１１】
図１は本発明の実施例に係る試料攪拌装置の一部分の斜視図である。図２は図１の要部斜視図である。図３（Ａ），（Ｂ），（Ｃ）  は図１の一部分の説明図である。図４は本発明の試料攪拌装置の概略図である。図５は試料容器内の試薬の成分の検出方法の説明図である。図６（Ａ）は試料容器の外形寸法の説明図である。ミリ単位で表している。
【００１２】
この試料攪拌装置において、４は試料容器であり、外形状が多角形状(角柱形状）、実施例では４角形上で柱状内部（試料注入部）に試料及び磁性粒子が収納されている。磁性粒子と試料の成分とが結合した時に発行する光を検出して試料の成分を検出する。３は押さえバネ（押さえバネ板）であり、図６（Ｂ）に示すように試料容器４の上方に所定の空隙（例えば１ミリ程度）を隔てて配置されている。２は攪拌子であり、下方に伸びる接続棒２ａは回転モーター２１によって回転可能となっている。
【００１３】
図６（Ｃ）は図６（Ｂ）のＡ−Ａ断面図である。試料容器４の下方部４ａの一部は撹拌子２の凹部２ｃの内部に回動可能に収納されている。また試料容器４の下方部４ａはテーブル１の４角形の開口部（テーブル開口部）に回動可能に嵌入されている。試料容器４の角柱の下方部４ａの回転軸４ｂと撹拌子２の接続棒２ａの回転中心２ｂとは偏心（偏芯）（１．２ミリ程度）している。このため回転モーター２１の回転力によって接続棒２ａが回転すると試料容器４は偏心回転する。
【００１４】
回転モーター２１はベース基板２４に載置されている。ベース基板２４は上下動モーター２２によって上下方向に昇降可能に取り付けられている。上下動モーター２２の駆動により接続棒２ａと一体となった撹拌子２が上下動すると撹拌子２の凹部２ｃ内に試料容器４の下方部４ａが位置するようになる。そして下方部の一部（外側）が凹部２ｃの壁面（内壁部）に当接するようにしている。
【００１５】
回転モーター２１の回転により接続棒２ａが回転すると凹部２ｃの壁面に当接した下方部４ａと一体となった試料容器４が偏心回動する。回転モーター２１と上下動モーター２２は駆動機構２５で駆動制御されている。
【００１６】
試料容器４内に試料と磁性粒子が注入されると上下動モーター２２の駆動により撹拌子２が上方に移動し試料容器４の下方部４ａが撹拌子２の凹部（カップ状）２ｃ内に位置するようになる。その後、回転モーター２１の回転（回転数は例えば２０００ｒｐｍ以上）に伴って撹拌子２が偏心回転する。これによって試料容器４内の試料と磁性粒子は均一に攪拌している。このときの回転時間は１１ｓｅｃ以上である。
【００１７】
図３（Ａ）はテーブル１に載置された試料容器４の角柱内部に試料が分注されたのちに磁性粒子が角柱内部の下方に沈殿しているときを示している。図３（Ｂ）は撹拌子２を駆動させて試料容器４を偏心回転させて試料容器４内の試料と磁性粒子を攪拌しているときを示している。
【００１８】
試料容器４が偏心回転すると試料容器４の上部がテーブル１の上方に突出するので試料容器４の上部４ｃが突出した時上方に設けた押さえバネ２によって上方に突出しないように抑えている。
【００１９】
図３（Ｃ）は試料容器４内の試料と磁性粒子が均一に攪拌された状態を示している。図５は試料容器４内の試料に含まれる物質〔成分〕を検出する試料検出装置の要部概略図である。試料中の成分の検出は試料中の成分と磁性粒子が結合した時に発行される光（発行強度）を検出することによって行っている。
【００２０】
図５において光源部〔ＬＥＤ〕５１から光を試料容器４のガラス越しに照射する。試料容器４内の試料と磁性粒子の結合によって散乱された光を光検出部５２で検出する。光検出部５２で検出された情報は光量測定手段５３で分析し、例えば分光分析し試料に含まれる成分を分析する。
【符号の説明】
【００２１】
１  テーブル
２  撹拌子
３  押さえバネ
４  試料容器
２ａ  接続棒
２ｂ  回転中心軸
４ｂ  回転軸
２１  回転モーター
２２  上下動モーター
２３  モータドライバー
２４  べース基板
２５  駆動機構
５１  光源手段
５２  検出部
５３  光量測定手段
【図１】
2020038106.tif 000003
【図２】
2020038106.tif 000004
【図３】
2020038106.tif 000005
【図４】
2020038106.tif 000006
【図５】
2020038106.tif 000007
【図６】
2020038106.tif 000008